(57)【要約】【課題】播種作業を容易とすると共に、周囲の雑草を防止することができる栽培シートを提供すること。【解決手段】水溶紙１と水溶性シート２とを植物の種子３を挟んで互いに積層する。そして、防草性シート４をその上に積層すると共に、前記種子に対応する位置に孔４ａを設ける。この栽培シートを地中に埋めると、２枚の水溶性シートが溶解あるいは分解し、種子が発芽し生育する。このとき、防草性シートには孔が設けられているため、種子の発芽・生育を妨害することはない。また、その周囲に雑草が生えることも防止できる。【選択図】図１
2017205029.tif 000002
【特許請求の範囲】
【請求項１】
２枚の水溶性シート又は生分解性シートと、防草性シート及び植物の種子で構成され、
２枚の前記水溶性シート又は生分解性シートが前記種子を挟んで互いに積層されており、
防草性シートが水溶性シート又は生分解性シートの上に積層されていると共に、前記種子に対応する位置に孔を有することを特徴とする栽培シート。
【請求項２】
２枚の前記水溶性シート又は生分解性シートのうち、少なくとも1枚が水溶紙であることを特徴とする請求項１に記載の栽培シート。
【請求項３】
前記水溶紙に、前記種子の液体肥料が含浸されていることを特徴とする請求項２に記載の栽培シート。
【請求項４】
前記水溶紙が３０〜１３０μｍの厚みを有することを特徴とする請求項２又は３に記載の栽培シート。
【請求項５】
前記防草性シートがエチレン−酢酸ビニル共重合体の層を含むことを特徴とする請求項１〜４のいずれかに記載の栽培シート。
【請求項６】
前記防草性シートが０．２〜２．０ｍｍの厚みを有することを特徴とする請求項１〜５のいずれかに記載の栽培シート。
【発明の詳細な説明】
【技術分野】
【０００１】
本発明は、予め定められた位置に植物の種子を蒔き、かつ、容易に栽培することのできるシートに関する。
【背景技術】
【０００２】
予め定められた位置に植物の種子を蒔き、かつ、容易に栽培することのできる栽培シートは、公知であり、例えば特許文献１に記載されている。このシートでは、長尺の水溶性テープに等間隔に２種類の凸部を設けて、一方の凹部に植物の種子を収容し、他方の凹部に肥料を収容している。そして、カバーテープをこの水溶性テープに剥離可能に接着することにより、これら両凹部を密封している。
【０００３】
この栽培シートは、次のように使用する。すなわち、地表に直線状の溝を掘り、この溝内に栽培シートを配置すると共にカバーテープを剥離し、前記両凹部に土をかけて土壌中に埋める。水溶性テープが土壌中の水分によって溶解すると、前記肥料が土壌に拡散・浸出して、種子が発芽し、かつ、生育するのである。
【先行技術文献】
【特許文献】
【０００４】
【特許文献１】特開２００７−２２２０３４号公報
【発明の概要】
【発明が解決しようとする課題】
【０００５】
しかしながら、特許文献１に記載の栽培シートは、使用に当ってカバーテープを剥離除去する必要があるため、その播種作業が十分に容易とはいえず、また、カバーテープがゴミとして残るという欠点があった。
【０００６】
また、この栽培シートを使用しても、周囲に雑草が生えることを防止することができず、肥料が雑草に吸収されて、却って雑草の生育を促すこともあった。
【０００７】
そこで、本発明は、播種作業を一層容易とすると共に、周囲の雑草を防止することができる栽培シートを提供することを目的とする。
【課題を解決するための手段】
【０００８】
すなわち、請求項１に記載の発明は、２枚の水溶性シート又は生分解性シートと、防草性シート及び植物の種子で構成され、
２枚の前記水溶性シート又は生分解性シートが前記種子を挟んで互いに積層されており、
防草性シートが水溶性シート又は生分解性シートの上に積層されていると共に、前記種子に対応する位置に孔を有することを特徴とする栽培シートである。
【０００９】
次に、請求項２に記載の発明は、２枚の前記水溶性シート又は生分解性シートのうち、少なくとも1枚が水溶紙であることを特徴とする請求項１に記載の栽培シートである。
【００１０】
次に、請求項３に記載の発明は、前記水溶紙に、液体肥料が含浸されていることを特徴とする請求項２に記載の栽培シートである。
【００１１】
次に、請求項４に記載の発明は、前記水溶紙が３０〜１３０μｍの厚みを有することを
特徴とする請求項２又は３に記載の栽培シートである。
【００１２】
次に、請求項５に記載の発明は、前記防草性シートがエチレン−酢酸ビニル共重合体の層を含むことを特徴とする請求項１〜４のいずれかに記載の栽培シートである。
【００１３】
次に、請求項６に記載の発明は、前記防草性シートが０．２〜２．０ｍｍの厚みを有することを特徴とする請求項１〜５のいずれかに記載の栽培シートである。
【発明の効果】
【００１４】
本発明の栽培シートは、これをそのまま地中に埋めれば、種子が発芽し、かつ、生育する。すなわち、この栽培シートを地中に埋めると、土壌中の水分や微生物によって２枚の水溶性シート又は生分解性シートが溶解あるいは分解し、土壌中の水分や肥料が種子に接触して、種子が発芽し、かつ、生育する。このとき、２枚の水溶性シート又は生分解性シートの上には防草性シートが積層されているが、この防草性シートには種子に対応する位置に孔が設けられているため、種子の発芽・生育を妨害することはない。このため、栽培シートを地中に埋めるに当って防草性シートを剥離除去する必要がなく、そのまま地中に埋めればよいのである。このため、その播種作業は一層容易となる。
【００１５】
そして、このように栽培シートを地中に埋めると、生育する植物の周囲には防草性シートが配置されているため、雑草が生えることも防止できる。
【図面の簡単な説明】
【００１６】
【図１】本発明の栽培シートの例を示す断面説明図である。
【発明を実施するための形態】
【００１７】
本発明の栽培シートは、２枚の水溶性シート又は生分解性シート、防草性シート及び植物の種子を必須の構成要素とするもので、２枚の水溶性シート又は生分解性シートが種子を挟んで互いに積層されており、防草性シートが水溶性シート又は生分解性シート上に積層されていると共に、前記種子に対応する位置に孔を有するものである。これら２枚の水溶性シート又は生分解性シートは土壌中で経時的に溶解又は分解するものであれば任意の材質から成っていてよく、例えば、ポリビニルアルコール等の水溶性フィルムや公知のでんぷん系生分解性フィルムで構成することができる。次に説明するように、これら２枚の水溶性シート又は生分解性シートのうち、１枚のシート又は両方のシートが水溶紙である場合には、この水溶紙に液体肥料を含浸しておくことができる。水溶紙は公知であり、カルボキシメチルセルロース繊維を主たる繊維成分とし、天然繊維や合成繊維を混合して抄紙したものを例示できる。
【００１８】
図面の図１は、２枚の水溶性シート又は生分解性シートのうち一方のシートとして水溶紙を使用し、この水溶紙に液体肥料が含浸されている栽培シート１００の例を示す断面説明図である。そして、この例では、水溶紙１と水溶性フィルム２とを水溶性シートとして使用し、これら水溶紙１と水溶性フィルム２とが種子３は挟んで積層されている。
【００１９】
なお、液体肥料を水溶紙１に含浸する方法としては、水溶紙１に液体肥料を塗布して含浸する方法を採用できる。あるいは水溶紙１を抄造の際に液体肥料を混合する方法によっても可能である。その含浸量は０．５〜２．０ｇ／ｍ２が望ましい。
【００２０】
また、２枚の水溶性シート又は生分解性シートのうち一方のシートまたは両方のシートに、種子３を収容する凹部が設けてもよい。この例では、水溶性フィルム２をエンボスして種子収容用凹部２ａを設けている。
【００２１】
種子３としては直径２０ｍｍ以下の種子が望ましい。例えば、ほうれん草、あるいはかいわれ等の葉菜類の種子である。また、図１から分かるように、この種子３はその種類の応じて適切な間隔を置いて複数配置することが望ましい。
【００２２】
なお、２枚の水溶性シート又は生分解性シートは、両者を重ねてヒートシールすることによって積層することができる。ヒートシール温度はこれらシートの材質によるが、ポリビニルアルコールフィルムと水溶紙とをヒートシールする場合には１５０〜２１０℃で可能である。
【００２３】
次に、防草性シート４は、前記種子３から生育する植物の周囲に雑草が生えることを防ぐものである。このような機能を果たすものであれば任意のシートでよいが、例えば、エチレン−酢酸ビニル共重合体の層を含むシートを好ましく使用することができる。エチレン−酢酸ビニル共重合体単体から成るシートであってもよいし、エチレン−酢酸ビニル共重合体の層と他の樹脂層との積層体であってもよい。防草性シート４の厚みは０．２〜２．０ｍｍが好適である。
【００２４】
この防草性シート４には、種子３に対応する位置に貫通孔４ａを有することが必要である。種子から生育した植物はこの貫通孔４ａを通って生育することができる。なお、その周囲に雑草が生えないように、この貫通孔４ａは１５〜４０ｍｍの直径を有することが望ましい。
【００２５】
この防草性シート４は、接着剤を使用して、水溶性シート又は生分解性シート２に積層することができる。接着剤としてはエーテル系ウレタン接着剤、エステル系ウレタン接着剤等を使用することができる。接着剤の塗布量は２〜６ｇ／ｍ２でよい。
【００２６】
本発明の栽培シートは、２枚の水溶性シート又は生分解性シート及び防草性シートとして、ロール状に巻き取った長尺のシートを使用して、連続的に製造することができる。図１に示す栽培シート１００の製造工程を説明すると、まず、水溶紙１を巻き出しながら液体肥料を塗布して含浸させる。一方、水溶性フィルム２を巻き出しながらエンボスして種子収容用凹部２ａを形成する。そして、種子３を種子収容用凹部２ａに充填し、水溶紙１を重ねて両者をヒートシールすることにより積層する。そして、防草性シート４を巻き出しながら貫通孔４ａを穿孔し、接着剤を塗布した後、この防草性シート４を水溶性フィルム２に接着することにより、栽培シート１００を製造することができる。
【００２７】
この栽培シートは環境の湿度によって水溶性シート又は生分解性シートが変質するため、水蒸気バリア性の高い包装材料で密封して保存することが望ましい。例えば、アルミニウム箔等の金属箔や金属蒸着層をその層構成中に含む包装材料である。また、酸化ケイ素蒸着層や酸化アルミニウム蒸着層等の無機蒸着層を層構成中に含む包装材料で密封して保存してもよい。
【００２８】
そして、この栽培シートは次のように使用することができる。すなわち、まず、地表に直線状の溝を掘り、この溝内に栽培シートを配置する。防草性シート４が上側、すなわち、溝の開口部側を向くように配置することが望ましいが、逆向きであっても雑草の生育を防止することが可能である。そして、土をかけて土壌中に埋める。その後、水遣りをしてあるいは経時的に、２枚の水溶性シート又は生分解性シートを溶解又は分解することにより、植物の種子が発芽し、生育する。このとき、その周囲に雑草は生え難い。なお、これら水溶性シート又は生分解性シートの一方又は両方に液体肥料が含浸されている場合には、これらシートの溶解・分解に伴って液体肥料が土壌中の水分に溶解して植物の生育を促進する。
【実施例】
【００２９】
（実施例１）
２枚の水溶性シート又は生分解性シートのうち、一方のシート１として水溶紙を使用し、他方のシート２としてポリビニルアルコールフィルムを使用した。そして、水溶紙１に液体肥料を塗布して含浸させた。一方、ポリビニルアルコールフィルム２をエンボスして種子収容用凹部２ａを形成し、植物の種子３を収容した。そして、このポリビニルアルコールフィルム２の上に水溶紙２を重ねてヒートシールすることにより、これら両シート１，２の間に種子３を固定した。なお、種子３としては、ほうれん草の種子とかいわれの種子の２種類の種子を使用した。
【００３０】
また、防草性シート４としては、エチレン−酢酸ビニル共重合体から成る単層構造のシートを使用した。そして、この防草性シート４に貫通孔４ａを穿った後、接着剤を塗布してポリビニルアルコールフィルム２の上に接着することにより、実施例１の栽培シートを製造した。
【００３１】
（実施例２）
液体肥料を含浸させていない水溶紙１をそのまま使用した外は実施例１と同様に実施例２の栽培シートを製造した。
【００３２】
（比較例）
防草性シート４を使用しなかった外は実施例２の栽培シートを製造した。
【００３３】
（評価）
液体肥料の有無による影響を確認するため、実施例１の栽培シート及び実施例２の栽培シートをプランターに埋め、水遣りをして、植物の生育状態を観察した。６日後に１０ｃｍ以上生育したものを「◎」、５ｃｍ以上１０ｃｍ未満のものを「○」、生育が５ｃｍ未満のものを「△」、発芽したが生育が見られなかったものを「×」と評価した。この結果を表１に示す。この結果から、液体肥料を含浸することによって植物の生育が促進されることが理解できる。
【００３４】
【表１】
2017205029.tif 000003
【００３５】
また、防草性シート４の有無による影響を確認するため、実施例１の栽培シート及び比較例の栽培シートをプランターに埋め、水遣りをして、雑草の生育状態を観察した。雑草が生えなかったものを「○」、生えたものを「×」と評価した。この結果を表１に示す。この結果から、防草性シート４を設けることによって雑草を防止できることが理解できる。
【００３６】
【表２】
2017205029.tif 000004
【符号の説明】
【００３７】
１００：栽培シート
１：水溶紙
２：水溶性フィルム    ２ａ：種子収容用凹部
３：種子
４：防草性シート  ４ａ：孔
【図１】
2017205029.tif 000005